(57)【要約】【課題】情報記入シートの提供先に応じて情報を記入すべき情報記入領域が異なる場合であっても、情報記入領域に容易に情報を記入することができながらも、情報記入シートにおける情報記入領域のレイアウトを自由に設定する。【解決手段】  情報を記入するための告知欄１３が設けられるとともに契約者／被保険者情報１５が掲載された契約申込書１０と、契約申込書１０への情報の記入を案内する記入ガイド２０とからなる組シートであって、記入ガイド２０に、契約申込書１０上に重ね合わされた場合に告知欄１３が表出する穴部２１ａ〜２１ｄを契約者／被保険者情報１５に応じて設けるとともに、穴部２１ａから２１ｄを介して表出した告知内容記入領域１３ａ〜１３ｄへの情報の記入を契約者／被保険者情報１５に応じて案内するための案内情報を記載する。【選択図】図１
2005305805.tif 000002
【特許請求の範囲】
【請求項１】
情報を記入するための情報記入領域が設けられるとともに前記情報記入領域の少なくとも一部に個別情報が記載された情報記入シートと、前記情報記入領域への情報の記入を案内する案内シートとからなる組シートを作成する組シート作成システムであって、
前記情報記入シートに前記情報記入領域を作成するとともに該情報記入領域の少なくとも一部に前記個別情報を印刷し、前記案内シートに、前記情報記入領域への情報の記入を前記情報記入領域に印刷された個別情報に応じて案内する案内情報を印刷する印刷手段と、
前記案内シートに、該案内シートが前記情報記入シート上に重ね合わされた場合に前記情報記入領域の少なくとも一部が表出する穴部を形成する穴加工手段と、
前記情報記入シートと前記案内シートとを前記個別情報に応じて丁合する丁合手段とを有する組シート作成システム。
【請求項２】
情報を記入するための情報記入領域が設けられるとともに前記情報記入領域の少なくとも一部に個別情報が記載された情報記入シートと、前記情報記入シート上に重ね合わされた場合に前記情報記入領域の少なくとも一部が表出する穴部を有し、前記情報記入領域への情報の記入を案内する案内シートとからなる組シートを作成する組シート作成方法であって、
前記情報記入シートに前記情報記入領域を作成するとともに該情報記入領域の少なくとも一部に前記個別情報を印刷する工程と、
前記案内シートに、前記情報記入領域への情報の記入を前記情報記入領域に記載された個別情報に応じて案内する案内情報を印刷する工程と、
前記情報記入シートと前記案内シートとを前記個別情報に応じて丁合する工程とを有する組シート作成方法。
【請求項３】
情報を記入するための情報記入領域が設けられるとともに前記情報記入領域の少なくとも一部に個別情報が記載された情報記入シートと、前記情報記入領域への情報の記入を案内する案内シートとからなる組シートであって、
前記案内シートは、前記情報記入シート上に重ね合わされた場合に前記情報記入領域の少なくとも一部が表出する穴部を有するとともに、前記穴部を介して表出した情報記入領域への情報の記入を前記情報記入領域に記載された個別情報に応じて案内する案内情報が記載されている組シート。
【発明の詳細な説明】
【技術分野】
【０００１】
本発明は、情報を記入する情報記入シートと情報記入シートへの情報の記入を案内する案内シートとからなる組シートを作成する組シート作成システム及び組シート作成方法、並びに組みシートに関する。
【背景技術】
【０００２】
一般に、契約者が保険料を支払うことにより所定の保障が行われる生命保険においては、契約者が生命保険に加入する場合、保険の契約申込書に所定の情報を記入し、保険会社に提出する。この契約申込書においては、契約者や被保険者の氏名や住所等といった契約者や被保険者に関する情報を記入するための領域や、契約する保険のタイプを指定するための領域や、被保険者の過去の病歴あるいは現在の体の状態等を記入するための告知欄等が設けられており、契約者は、契約申込書にて決められた情報を決められた領域に記入することになる。
【０００３】
ここで、このような保険の契約申込書においては、契約者や被保険者に関する情報を記入するための領域等といった、契約者にとって情報の記入が容易な領域が存在する一方、告知欄等といった、契約者にとって情報の記入の仕方がわかりにくい領域が存在する。そのため、従来より、契約申込書の裏面あるいは契約申込書とは別の用紙に、契約申込書の記入方法や記入例等といった案内情報を記載しておき、契約者が契約申込書に所定の情報を容易に記入することができるようにしている。
【０００４】
また、上述したような保険の契約申込書に限らず、所定の情報を記入する情報記入シートにおいては、情報記入シートへの情報の記入を容易にするために様々な技術が考えられている。
【０００５】
例えば、質問事項がそれぞれ記載された複数枚の質問紙と、この質問紙に記載された質問事項に対する解答を記入するための解答欄が列的に設けられた解答紙とをノート状に綴じ合わせ、かつ、質問紙を解答欄に対応して１頁目から順に階段状に短くなるように幅を変化させ、それにより、見開ページの質問事項に隣接してその質問事項に対する解答を記入する解答欄を表出させる調査表が考えられている（例えば、特許文献１参照。）。この技術を用いた場合、情報を記入するための情報記入領域が列的に設けられた情報記入シートと、この情報記入シートに設けられた情報記入領域への情報の記入を案内する案内情報が記載された複数枚の案内シートとをノート状に綴じ合わせ、かつ、案内シートを情報記入領域に対応して１頁目から順に階段状に短くなるように幅を変化させ、それにより、情報記入領域に情報を記入する場合、その情報記入領域が案内シートに隣接するように案内シートを見開き、見開き頁となった案内シートに記載された案内情報に従って情報記入領域に情報を記入することができるようになる。
【０００６】
また、マークシート用紙が挿入可能に構成されるとともに、マークシート用紙が挿入された場合にマーク位置に対応する領域に穴部が形成され、それにより、マークシート用紙が挿入された場合にマーク位置が穴部から表出し、マーク位置にマークを記入しやすくするマーク記入用シートが考えられている（例えば、特許文献２参照。）。この技術を用いた場合、情報記入シートが案内シートに挿入された場合、情報記入シートのうち情報記入領域のみが、案内シートに設けられた穴部を介して表出することになり、それにより、情報記入シートのうち、情報を記入するための情報記入領域を明確にすることができる。
【特許文献１】実公昭４９−４６１８０号公報
【特許文献２】特開２００２−２３４２８５号公報
【発明の開示】
【発明が解決しようとする課題】
【０００７】
しかしながら、上述した契約申込書等の情報記入シートの裏面あるいは情報記入シートとは別の用紙に、情報記入シートの記入方法や記入例等といった案内情報を記載しておくものにおいては、情報記入シートの裏面あるいは情報記入シートとは別の用紙を参照しながら情報記入シートに情報を記入することになるため、情報記入シートへの情報の記入が容易になるとは言いがたい。特に、情報記入シートの提供先に応じて情報を記入すべき情報記入領域が異なる場合は、情報記入シートの裏面あるいは情報記入シートとは別の用紙を参照しても、情報記入シートに設けられた情報記入領域のうちどの領域に情報を記入してよいのか判断することが困難である。
【０００８】
また、上述したような調査表の技術を用いた場合は、情報記入シートに情報を記入する際に情報が記入される情報記入領域とその情報記入領域への情報の記入を案内する案内情報とを隣接させるために情報記入領域を列的に設けなければならず、そのため、情報記入領域のレイアウトが制限されてしまうという問題点がある。
【０００９】
また、上述したようなマーク記入用シートの技術を用いた場合は、情報記入シートのうち、情報を記入するための情報記入領域が明確になるものの、案内シートには情報記入領域への情報の記入を案内するための案内情報が記載されていないため、情報記入領域に記入すべき情報の種類によっては情報の記入の仕方がわかりにくい場合が生じてしまうという問題点がある。
【００１０】
本発明は、上述したような従来の技術が有する問題点に鑑みてなされたものであって、情報を記入するための情報記入領域が設けられた情報記入シートと、情報記入シートへの情報の記入を案内する案内シートとからなる組シートにおいて、情報記入シートの提供先に応じて情報を記入すべき情報記入領域が異なる場合であっても、また、情報記入領域に記入すべき情報の種類によらずに情報記入領域に容易に情報を記入することができながらも、情報記入シートにおける情報記入領域のレイアウトを自由に設定することができる組シート、組シート作成システム及び組シート作成方法を提供することを目的とする。
【課題を解決するための手段】
【００１１】
上記目的を達成するために本発明は、
情報を記入するための情報記入領域が設けられるとともに前記情報記入領域の少なくとも一部に個別情報が記載された情報記入シートと、前記情報記入領域への情報の記入を案内する案内シートとからなる組シートを作成する組シート作成システムであって、
前記情報記入シートに前記情報記入領域を作成するとともに該情報記入領域の少なくとも一部に前記個別情報を印刷し、前記案内シートに、前記情報記入領域への情報の記入を前記情報記入領域に印刷された個別情報に応じて案内する案内情報を印刷する印刷手段と、
前記案内シートに、該案内シートが前記情報記入シート上に重ね合わされた場合に前記情報記入領域の少なくとも一部が表出する穴部を形成する穴加工手段と、
前記情報記入シートと前記案内シートとを前記個別情報に応じて丁合する丁合手段とを有する。
【００１２】
また、情報を記入するための情報記入領域が設けられるとともに前記情報記入領域の少なくとも一部に個別情報が記載された情報記入シートと、前記情報記入シート上に重ね合わされた場合に前記情報記入領域の少なくとも一部が表出する穴部を有し、前記情報記入領域への情報の記入を案内する案内シートとからなる組シートを作成する組シート作成方法であって、
前記情報記入シートに前記情報記入領域を作成するとともに該情報記入領域の少なくとも一部に前記個別情報を印刷する工程と、
前記案内シートに、前記情報記入領域への情報の記入を前記情報記入領域に記載された個別情報に応じて案内する案内情報を印刷する工程と、
前記情報記入シートと前記案内シートとを前記個別情報に応じて丁合する工程とを有する。
【００１３】
また、情報を記入するための情報記入領域が設けられるとともに前記情報記入領域の少なくとも一部に個別情報が記載された情報記入シートと、前記情報記入領域への情報の記入を案内する案内シートとからなる組シートであって、
前記案内シートは、前記情報記入シート上に重ね合わされた場合に前記情報記入領域の少なくとも一部が表出する穴部を有するとともに、前記穴部を介して表出した情報記入領域への情報の記入を前記情報記入領域に記載された個別情報に応じて案内する案内情報が記載されている。
【００１４】
上記のように構成された本発明においては、情報記入シート上に案内シートを重ね合わせると、情報記入シートに設けられた情報記入領域の少なくとも一部が、案内シートに設けられた穴部を介して表出する。情報記入シート上に重ね合わされた案内シートには、情報記入シートの情報記入領域に記載された個別情報に応じた案内情報が記載されており、この案内情報に従って、穴部を介して表出した情報記入領域に情報を記入したり、穴部を介して表出した情報記入領域に記載された情報を確認あるいは変更したりすることになる。
【００１５】
このように、案内シートに情報記入領域が表出する穴部が設けられるとともに、情報記入シートの情報記入領域に記載された個別情報に応じた案内情報が記載されているので、情報記入シートの提供先に応じて情報を記入すべき情報記入領域が異なる場合であっても、また、情報記入領域に記入すべき情報の種類によらずに情報記入領域に容易に情報を記入することができながらも、情報記入シートにおける情報記入領域のレイアウトを自由に設定することができる。
【発明の効果】
【００１６】
以上説明したように本発明においては、案内シートに情報記入領域が表出する穴部が設けられるとともに、情報記入シートの情報記入領域に記載された個別情報に応じた案内情報が記載されている構成としたため、情報記入シートの提供先に応じて情報を記入すべき情報記入領域が異なる場合であっても、また、情報記入領域に記入すべき情報の種類によらずに、情報記入シートに記載された個別情報に応じた情報を情報記入領域に容易に記入することができながらも、情報記入シートにおける情報記入領域のレイアウトを自由に設定することができる。
【発明を実施するための最良の形態】
【００１７】
以下に、本発明の実施の形態について図面を参照して説明する。
【００１８】
図１は、本発明の組シートの実施の一形態を示す図であり、（ａ）は全体の構成を説明するための斜視図、（ｂ）は（ａ）に示した契約申込書１０の構成を示す図、（ｃ）は（ａ）に示した記入ガイド２０の構成を示す図、（ｄ）は（ｂ）に示した契約申込書１０上に（ｃ）に示した記入ガイド２０を重ね合わせた状態を示す図である。
【００１９】
本形態は図１（ａ）に示すように、情報記入シートである契約申込書１０と、案内シートである記入ガイド２０とが連接部３０を介して連接して構成されている。
【００２０】
また、図１（ｂ）に示すように契約申込書１０には、個別情報である、契約者や被保険者の氏名や住所等といった契約者や被保険者に関する情報からなる契約者／被保険者情報１５が記載された契約者／被保険者情報記入領域１１と、契約する保険のタイプを指定するための契約タイプ記入領域１２と、被保険者の過去の病歴あるいは現在の体の状態等を記入するための告知欄１３とが設けられている。また、契約申込書１０を管理するための管理番号がバーコード情報１６として印刷されており、このバーコード情報１６と契約申込書１０とを対応づけて管理しておくことにより、バーコード情報１６によって契約者／被保険者情報１５が特定可能となる。契約タイプ記入領域１２には、設定可能な保険についてその保障の内容や保険料がそれぞれ記載されており、その中から所望の保険のタイプを「○印」を記入すること等によって選択可能となっている。また、告知欄１３には、被保険者の過去の病歴あるいは現在の体の状態等についての質問事項が記載されており、また、これら質問事項に対する回答に応じて「○印」を記入すること等によっていずれかを選択する告知内容記入領域１３ａ，１３ｂと、告知内容記入領域１３ａ，１３ｂのうち告知内容記入領域１３ａを選択した場合の質問事項が記載されるとともにその質問事項に対する回答を記入するための告知内容記入領域１３ｃと、告知内容記入領域１３ａ，１３ｂのいずれを選択した場合においても回答すべき質問事項が記載されるとともにその質問事項に対する回答を記入するための告知内容記入領域１３ｄとが設けられている。なお、これらの契約者／被保険者情報記入領域１１、契約タイプ記入領域１２及び告知内容記入領域１３ａ〜１３ｄが情報記入領域となる。
【００２１】
また、図１（ｃ）に示すように記入ガイド２０には、告知欄１３に記載された質問事項が告知質問事項２２として記載されているとともに、告知質問事項２２の回答の状態についての質問事項２４ａと、質問事項２４ａに対する回答を選択するための回答情報２５ａ，２５ｂと、回答情報２５ａ，２５ｂのうち質問事項２４ａに対する回答として回答情報２５ａを選択した場合の質問事項２４ｂと、質問事項２４ｂに用いる情報２３と、質問事項２４ｂに対する回答を選択するための回答情報２６ａ，２６ｂとが記載されている。また、図１（ｂ）に示した契約申込書１０に印刷されたバーコード情報１６と同一のバーコード情報２８が印刷されており、それにより、この記入ガイド２０が図１（ｂ）に示した契約申込書１０と組になっていることが示されている。また、この記入ガイド２０が図１（ｂ）に示した契約申込書１０に重ね合わされた場合に契約申込書１０に設けられた告知内容記入領域１３ａ〜１３ｄが表出するための穴部２１ａ〜２１ｄが設けられている。また、回答情報２５ａ，２５ｂ，２６ａ，２６ｂを選択した場合に次に参照すべき領域を指し示す矢印情報２７ａ〜２７ｄと、穴部２１ａ〜２１ｃを介して表出した告知内容記入領域１３ａ〜１３ｃへの情報記入後に次に記入すべき告知内容記入領域が表出した穴部を指し示す矢印情報２７ｅ〜２７ｇとが記載されている。これらの記入ガイド２０に記載された告知質問事項２２、情報２３、質問事項２４ａ，２４ｂ、回答情報２５ａ，２５ｂ，２６ａ，２６ｂ及び矢印情報２７ａ〜２７ｇが、契約申込書１０の告知内容記入領域１３ａ〜１３ｄへの情報の記入を案内する案内情報となるものであり、契約申込書１０の契約者／被保険者情報記入領域１１に記載された契約者／被保険者情報１５に応じて記載されている。また、穴部２１ａ〜２１ｄにおいても、契約申込書１０の契約者／被保険者情報記入領域１１に記載された契約者／被保険者情報１５に応じた位置及び大きさに形成されている。
【００２２】
以下に、上記のように構成された組シートを用いての契約申込書１０に対する情報の記入方法について説明する。
【００２３】
まず、契約申込書１０上に記入ガイド２０が重ね合わされない状態において、契約タイプ記入領域１２にて、契約する保険のタイプを指定する。なお、契約タイプ記入領域１２には、上述したように、設定可能な保険についてその保障の内容や保険料がそれぞれ記載されており、その中から所望の保険のタイプに「○印」を記入することによって契約する保険のタイプを選択する。
【００２４】
次に、組シートを連接部３０を介して折り畳み、契約申込書１０上に記入ガイド２０を重ね合わせる。すると、図１（ｄ）に示すように、契約申込書１０に設けられた告知内容記入領域１３ａ〜１３ｄが記入ガイド２０に設けられた穴部２１ａ〜２１ｄを介してそれぞれ表出することになる。
【００２５】
この状態において、まず、告知質問事項２２に回答し、その回答の状態について質問事項２４ａに回答し、その回答として回答情報２５ａ，２５ｂのいずれか一方を選択する。ここで、告知質問事項２２は、契約申込書１０の告知欄１３に記載された、被保険者の過去の病歴あるいは現在の体の状態等についての質問事項であり、また、質問事項２４ａは、告知質問事項２２に対して１つでも当てはまる項目があるかどうかを質問するものであり、この質問事項２４ａに対して、回答情報２５ａ，２５ｂのいずれか一方を選択する。すなわち、告知質問事項２２に対して１つでも当てはまる項目がある場合は回答情報２５ａを選択し、告知質問事項２２に対して当てはまる項目が１つもない場合は回答情報２５ｂを選択することになる。
【００２６】
回答情報２５ａ，２５ｂのうち回答情報２５ａを選択した場合は、次に、矢印情報２７ａに従って質問事項２４ｂを参照し、回答する。質問事項２４ｂは、回答情報２５ａについて情報２３を用いた質問事項であって、その回答として回答情報２６ａ，２６ｂのいずれか一方を選択する。
【００２７】
回答情報２６ａ，２６ｂのうち回答情報２６ａを選択した場合は、矢印情報２７ｃに従って穴部２１ａから表出した告知内容記入領域１３ａに情報を記入する。ここで、穴部２１ａから表出した告知内容記入領域１３ａは、上述したように告知内容記入領域１３ａ，１３ｂのうち告知内容記入領域１３ａを、「○印」を記入することによって選択するための領域であるため、回答情報２６ａを選択した場合は、穴部２１ａから表出した告知内容記入領域１３ａに「○印」を記入する。
【００２８】
次に、矢印情報２７ｅに従って穴部２１ｃから表出した告知内容記入領域１３ｃに情報を記入する。ここで、穴部２１ｃから表出した告知内容記入領域１３ｃには、上述したように、告知内容記入領域１３ａ，１３ｂのうち告知内容記入領域１３ａを選択した場合の質問事項が記載されているため、この質問事項に対する回答を記入する。
【００２９】
一方、回答情報２５ａ，２５ｂのうち回答情報２５ｂを選択した場合は、矢印情報２７ｂに従って穴部２１ｂから表出した告知内容記入領域１３ｂに情報を記入する。ここで、穴部２１ａから表出した告知内容記入領域１３ｂは、上述したように告知内容記入領域１３ａ，１３ｂのうち告知内容記入領域１３ｂを、「○印」を記入することによって選択するための領域であるため、回答情報２５ｂを選択した場合は、穴部２１ｂから表出した告知内容記入領域１３ｂに「○印」を記入する。また、回答情報２６ａ，２６ｂのうち回答情報２６ｂを選択した場合においても、矢印情報２７ｄ，２７ｂに従って穴部２１ｂから表出した告知内容記入領域１３ｂに情報を記入することになる。
【００３０】
その後、穴部２１ｃから表出した告知内容記入領域１３ｃに情報を記入した場合は矢印情報２７ｆに従って、また、穴部２１ｂから表出した告知内容記入領域１３ｂに情報を記入した場合は矢印情報２７ｇに従って、穴部２１ｄから表出した告知内容記入領域１３ｄに情報を記入する。ここで、穴部２１ｄから表出した告知内容記入領域１３ｄは、上述したように、告知内容記入領域１３ａ，１３ｂのいずれを選択した場合においても回答すべき質問事項が記載されているため、その質問事項に対する回答を告知内容記入領域１３ｄに記入する。
【００３１】
このようにして、記入ガイド２０に記載された、告知質問事項２２、情報２３、質問事項２４ａ，２４ｂ、回答情報２５ａ，２５ｂ，２６ａ，２６ｂ及び矢印情報２７ａ〜２７ｇからなる案内情報に従って、契約申込書１０の告知欄１３に設けられた告知内容記入領域１３ａ〜１３ｄに所定の情報が記入されることになる。
【００３２】
図２は、本発明の組シートの他の実施の形態を示す図であり、（ａ）は全体の構成を説明するための斜視図、（ｂ）は（ａ）に示した契約申込書２１０の構成を示す図、（ｃ）は（ａ）に示した記入ガイド２２０の構成を示す図、（ｄ）は（ｂ）に示した契約申込書２１０上に（ｃ）に示した記入ガイド２２０を重ね合わせた状態を示す図である。
【００３３】
本形態は図２（ａ）に示すように、情報記入シートである契約申込書２１０と、案内シートである記入ガイド２２０とが連接部３０を介して連接して構成されている。
【００３４】
また、図２（ｂ）に示すように契約申込書２１０は、図１（ｂ）に示した契約申込書１０に対して、契約者／被保険者情報記入領域１１に記載された契約者／被保険者情報２１５のみが異なるものである。
【００３５】
また、図２（ｃ）に示すように記入ガイド２２０は、図１（ｃ）に示した記入ガイド２０に対して、図１（ｃ）に示した穴部２１ｃが形成されておらず、穴部２１ａを介して表出した告知内容記入領域１３ａへの情報記入後に矢印情報２７ｅによって、次に記入すべき告知内容記入領域１３ｄが表出した穴部２１ｄが指し示されている点のみが異なるものである。これらの記入ガイド２２０に記載された告知質問事項２２、情報２３、質問事項２４ａ，２４ｂ、回答情報２５ａ，２５ｂ，２６ａ，２６ｂ及び矢印情報２７ａ〜２７ｅ，２７ｇが、契約申込書２１０の告知内容記入領域１３ａ，１３ｂ，１３ｄへの情報の記入を案内する案内情報となるものであり、契約申込書２１０の契約者／被保険者情報記入領域１１に記載された契約者／被保険者情報２１５に応じて記載されている。また、穴部２１ａ，２１ｂ，２１ｄにおいても、契約申込書２１０の契約者／被保険者情報記入領域１１に記載された契約者／被保険者情報２１５に応じた位置及び大きさに形成されている。
【００３６】
以下に、上記のように構成された組シートを用いての契約申込書２１０に対する情報の記入方法について説明する。
【００３７】
まず、契約申込書２１０上に記入ガイド２２０が重ね合わされない状態において、契約タイプ記入領域１２にて、契約する保険のタイプを指定する。なお、契約タイプ記入領域１２には、上述したように、設定可能な保険についてその保障の内容や保険料がそれぞれ記載されており、その中から所望の保険のタイプに「○印」を記入することによって契約する保険のタイプを選択する。
【００３８】
次に、組シートを連接部３０を介して折り畳み、契約申込書２１０上に記入ガイド２２０を重ね合わせる。すると、図２（ｄ）に示すように、契約申込書２１０に設けられた告知内容記入領域１３ａ，１３ｂ，１３ｄが記入ガイド２２０に設けられた穴部２１ａ，２１ｂ，２１ｄを介してそれぞれ表出することになる。
【００３９】
この状態において、まず、告知質問事項２２に回答し、その回答の状態について質問事項２４ａに回答し、その回答として回答情報２５ａ，２５ｂのいずれか一方を選択する。ここで、告知質問事項２２は、契約申込書２１０の告知欄１３に記載された、被保険者の過去の病歴あるいは現在の体の状態等についての質問事項であり、また、質問事項２４ａは、告知質問事項２２に対して１つでも当てはまる項目があるかどうかを質問するものであり、この質問事項２４ａに対して、回答情報２５ａ，２５ｂのいずれか一方を選択する。すなわち、告知質問事項２２に対して１つでも当てはまる項目がある場合は回答情報２５ａを選択し、告知質問事項２２に対して当てはまる項目が１つもない場合は回答情報２５ｂを選択することになる。
【００４０】
回答情報２５ａ，２５ｂのうち回答情報２５ａを選択した場合は、次に、矢印情報２７ａに従って質問事項２４ｂを参照し、回答する。質問事項２４ｂは、回答情報２５ａについて情報２３を用いた質問事項であって、その回答として回答情報２６ａ，２６ｂのいずれか一方を選択する。
【００４１】
回答情報２６ａ，２６ｂのうち回答情報２６ａを選択した場合は、矢印情報２７ｃに従って穴部２１ａから表出した告知内容記入領域１３ａに情報を記入する。ここで、穴部２１ａから表出した告知内容記入領域１３ａは、上述したように告知内容記入領域１３ａ，１３ｂのうち告知内容記入領域１３ａを、「○印」を記入することによって選択するための領域であるため、回答情報２６ａを選択した場合は、穴部２１ａから表出した告知内容記入領域１３ａに「○印」を記入する。
【００４２】
一方、回答情報２５ａ，２５ｂのうち回答情報２５ｂを選択した場合は、矢印情報２７ｂに従って穴部２１ｂから表出した告知内容記入領域１３ｂに情報を記入する。ここで、穴部２１ａから表出した告知内容記入領域１３ｂは、上述したように告知内容記入領域１３ａ，１３ｂのうち告知内容記入領域１３ｂを、「○印」を記入することによって選択するための領域であるため、回答情報２５ｂを選択した場合は、穴部２１ｂから表出した告知内容記入領域１３ｂに「○印」を記入する。また、回答情報２６ａ，２６ｂのうち回答情報２６ｂを選択した場合においても、矢印情報２７ｄ，２７ｂに従って穴部２１ｂから表出した告知内容記入領域１３ｂに情報を記入することになる。
【００４３】
その後、穴部２１ａから表出した告知内容記入領域１３ａに情報を記入した場合は矢印情報２７ｅに従って、また、穴部２１ｂから表出した告知内容記入領域１３ｂに情報を記入した場合は矢印情報２７ｇに従って、穴部２１ｄから表出した告知内容記入領域１３ｄに情報を記入する。ここで、穴部２１ｄから表出した告知内容記入領域１３ｄは、上述したように、告知内容記入領域１３ａ，１３ｂのいずれを選択した場合においても回答すべき質問事項が記載されているため、その質問事項に対する回答を告知内容記入領域１３ｄに記入する。
【００４４】
このようにして、記入ガイド２２０に記載された、告知質問事項２２、情報２３、質問事項２４ａ，２４ｂ、回答情報２５ａ，２５ｂ，２６ａ，２６ｂ及び矢印情報２７ａ〜２７ｅ，２７ｇからなる案内情報に従って、契約申込書２１０の告知欄１３に設けられた告知内容記入領域１３ａ，１３ｃ，１３ｄに所定の情報が記入されることになる。
【００４５】
ここで、図１に示した組シートと図２に示した組シートとを比較した場合、図１に示した組シートの記入ガイド２０には、契約申込書１０の告知内容記入領域１３ａ〜１３ｄがそれぞれ表出する穴部２１ａ〜２１ｄが形成されており、それにより、契約申込書１０の告知内容記入領域１３ａ〜１３ｄに情報が記入されるように構成されているのに対して、図２に示した組シートの記入ガイド２２０には、契約申込書２１０の告知内容記入領域１３ａ〜１３ｄのうち、告知内容記入領域１３ａ，１３ｂ，１３ｄのみがそれぞれ表出する穴部２１ａ，２１ｂ，２１ｄが形成されており、それにより、契約申込書１０の告知内容記入領域１３ａ，１３ｂ，１３ｄのみに情報が記入されるように構成されている。これは、図１に示した契約申込書１０の契約者／被保険者情報記入領域１１に記載された契約者／被保険者情報１５と、図２に示した契約申込書２１０の契約者／被保険者情報記入領域１１に記載された契約者／被保険者情報２１５とが異なるためであり、例えば、図１に示した契約申込書１０の契約者／被保険者情報記入領域１１に記載された契約者／被保険者情報１５に含まれる被保険者の年齢では契約申込書１０の告知内容記入領域１３ａ〜１３ｄの全てに情報を記入する必要があり、また、図２に示した契約申込書２１０の契約者／被保険者情報記入領域１１に記載された契約者／被保険者情報２１５に含まれる被保険者の年齢では契約申込書２１０の告知内容記入領域１３ａ〜１３ｄのうち告知内容記入領域１３ａ，１３ｂ，１３ｄのみに情報を記入すればよいというように告知内容記入領域１３ａ〜１３ｄへの情報の記入が決められているためである。
【００４６】
このように、契約申込書１０，２１０の契約者／被保険者情報記入領域１１に記載された契約者／被保険者情報１５，２１５に応じて、記入ガイド２０，２２０に形成される穴部の配置を変え、また、それに伴い、記入ガイド２０，２２０に記載される案内情報を変えることにより、契約申込書１０，２１０に設けられた告知内容記入領域１３ａ〜１３ｄへの情報の記入が、契約申込書１０，２１０の契約者／被保険者情報記入領域１１に記載された契約者／被保険者情報１５，２１５に応じて案内されることになる。
【００４７】
なお、図１及び図２に示したものにおいては、契約申込書１０，２１０の契約者／被保険者情報記入領域１１に記載された契約者／被保険者情報１５，２１５に応じた位置及び大きさで記入ガイド２０，２２０に穴部２１ａ〜２１ｄが形成されているが、穴部２１ａ〜２１ｄにおいては、契約申込書１０，２１０の契約者／被保険者情報記入領域１１に記載された契約者／被保険者情報１５，２１５によらずに予め決められた位置及び大きさで記入ガイド２０，２２０に形成されていてもよい。
【００４８】
以下に、上述した組シートを作成する組シート作成システムについて説明する。
【００４９】
図３は、図１及び図２に示した組シートを作成する組シート作成システムの実施の一形態を示す図である。
【００５０】
本形態は図３に示すように、契約申込書１０，２１０及び記入ガイド２０，２２０に情報を印刷する印刷部３と、記入ガイド２０，２２０に穴部２１ａ〜２１ｄを形成する穴加工部４と、印刷部３にて情報が印刷された契約申込書１０，２１０と、印刷部３にて情報が印刷され、穴加工部４にて穴部２１ａ〜２１ｄが形成された記入ガイド２０，２２０とを、契約申込書１０，２１０に印刷された契約者／被保険者情報１５，２１５に応じて丁合する丁合部５と、印刷情報データベース１を参照して印刷部３、穴加工部４及び丁合部５を制御する制御部２とから構成されている。
【００５１】
印刷部３は、契約申込書１０，２１０に、契約者／被保険者情報記入領域１１、契約タイプ１２及び告知欄１３を形成するとともに、契約者／被保険者情報記入領域１１内に契約者／被保険者情報１５，２１５を印刷し、また、記入ガイド２０，２２０に、告知質問事項２２、情報２３、質問事項２４ａ，２４ｂ、回答情報２５ａ，２５ｂ，２６ａ，２６ｂ及び矢印情報２７ａ〜２７ｇを印刷する。また、契約申込書１０，２１０を管理するための管理番号をバーコード情報１６として契約申込書１０，２１０に印刷するとともに、この契約申込書１０，２１０と丁合される記入ガイド２０，２２０にバーコード情報１６と同一のバーコード情報２８を印刷する。
【００５２】
穴加工部４は、例えば、レーザー加工機によって構成され、契約申込書１０，２１０と記入ガイド２０，２２０とが重ね合わされた場合に契約申込書１０，２１０に形成された告知内容記入領域１３ａ〜１３ｄが表出する穴部２１ａ〜２１ｄを記入ガイド２０，２２０に形成する。
【００５３】
丁合部５は、契約申込書１０，２１０及び記入ガイド２０，２２０にそれぞれ印刷されたバーコード情報１６，２８を読み取り、契約申込書１０，２１０の契約者／被保険者情報記入領域１１内に記載された契約者／被保険者情報１５，２１５に応じて、契約申込書１０，２１０と記入ガイド２０，２２０とを丁合する。
【００５４】
以下に、上記のように構成された組シート作成システムにおいて図１及び図２に示した組シートを作成する組シート作成方法ついて説明する。
【００５５】
図４は、図３に示した組シート作成システムにおいて図１及び図２に示した組シートを作成する組シート作成方法を説明するためのフローチャートである。
【００５６】
まず、印刷部３において、契約申込書１０，２１０に、契約者／被保険者情報記入領域１１、契約タイプ１２及び告知欄１３を形成するとともに、契約者／被保険者情報記入領域１１内に契約者／被保険者情報１５，２１５を印刷し、また、契約申込書１０，２１０を管理するための管理番号をバーコード情報１６として印刷する（ステップＳ１）。
【００５７】
ここで、印刷情報データベース１の構成について説明する。
【００５８】
印刷情報データベース１には、契約申込書１０，２１０に印刷される印字情報と、記入ガイド２０，２２０に印刷される印字情報と、記入ガイド２０，２２０に穴部を形成するための穴加工情報とが、組シート毎に互いに対応づけて登録されている。契約申込書１０，１０に印刷される印字情報としては、契約申込書１０，２１０に、契約者／被保険者情報記入領域１１、契約タイプ記入領域１２及び告知領域１３を形成するための情報と、契約者／被保険者情報記入領域１１に記載される契約者／被保険者情報１５，２１５が含まれる。また、記入ガイド２０，２２０に印刷される印字情報としては、告知質問事項２２、情報２３、質問事項２４ａ，２４ｂ、回答情報２５ａ，２５ｂ，２６ａ，２６ｂ及び矢印情報２７ａ〜２７ｇが含まれる。
【００５９】
これらの印字情報及び穴加工情報は、組シート毎に、契約申込書１０，２１０を管理するための管理番号と対応づけて登録されている。すなわち、上述した印字情報のうちどの印字情報を契約申込書１０，２１０あるいは記入ガイド２０，２２０のどの領域に印字すべきか、並びに、記入ガイド２０，２２０毎に、どの領域にどのくらいの大きさの穴加工を施すかが管理番号と対応づけて登録されていることになる。
【００６０】
そのため、制御部２において、印刷情報データベース１を参照し、まず、情報を印刷する契約申込書１０，２１０の管理番号に対応づけて登録された印字情報に基づいて上述した情報が契約申込書１０，２１０に印刷されるように印刷部３を制御する。また、この際、制御部２においては、契約申込書１０，２１０の管理番号がバーコード情報１６として印刷されるように印刷部３を制御する。これにより、契約申込書１０，２１０に、契約者／被保険者情報記入領域１１、契約タイプ１２及び告知欄１３が形成されるとともに、契約者／被保険者情報記入領域１１内に契約者／被保険者情報１５，２１５が印刷され、また、契約申込書１０，２１０を管理するための管理番号がバーコード情報１６として印刷されることになる。
【００６１】
また、印刷部３において、記入ガイド２０，２２０に、告知質問事項２２、情報２３、質問事項２４ａ，２４ｂ、回答情報２５ａ，２５ｂ，２６ａ，２６ｂ及び矢印情報２７ａ〜２７ｇを印刷し、また、契約申込書１０，２１０に印刷されたバーコード情報１６と同一のバーコード情報２８を印刷する（ステップＳ２）。制御部２においては、印刷情報データベース１を参照し、ステップＳ１にて情報が印刷された契約申込書１０，２１０の管理番号に対応づけて登録された印字情報に基づいて上述した案内情報が記入ガイド２０，２２０に印刷されるように印刷部３を制御する。また、この際、制御部３においては、ステップＳ１にて情報が印刷された契約申込書１０，２１０の管理番号がバーコード情報２８として印刷されるように印刷部３を制御する。これにより、記入ガイド２０，２２０に、告知質問事項２２、情報２３、質問事項２４ａ，２４ｂ、回答情報２５ａ，２５ｂ，２６ａ，２６ｂ及び矢印情報２７ａ〜２７ｇが印刷され、また、契約申込書１０，２１０に印刷されたバーコード情報１６と同一のバーコード情報２８が印刷されることになる。
【００６２】
このように、契約申込書１０，２１０の管理番号に対応づけて登録された印字情報を用いて記入ガイド２０，２２０に案内情報が印刷されるので、契約申込書１０，２１０の管理番号、すなわち、契約申込書１０，２１０の契約者／被保険者情報記入領域１１に記載された契約者／被保険者情報１５，２１５に応じた案内情報が記入ガイド２０，２２０に印刷されることになる。
【００６３】
次に、穴加工部４において、契約申込書１０，２１０と記入ガイド２０，２２０とが重ね合わされた場合に契約申込書１０，２１０に形成された告知内容記入領域１３ａ〜１３ｄが表出する穴部２１ａ〜２１ｄを記入ガイド２０，２２０に形成する（ステップＳ３）。穴部２１ａ〜２１ｄの形成方法としては、例えば、レーザー加工機によることが考えられ、その場合、記入ガイド２０，２２０のうち、契約申込書１０，２１０とが重ね合わされた場合に契約申込書１０，２１０に形成された告知内容記入領域１３ａ〜１３ｄの外形に対向する部分にレーザー光を照射し、告知内容記入領域１３ａ〜１３ｄに対向する部分を切り取ることになる。ここで、印刷情報データベース１には、上述したように契約申込書１０，２１０の管理番号に対応づけて、記入ガイド２０，２２０に形成される穴部２１ａ〜２１ｄの大きさや位置情報が登録されているため、制御部２において、まず、記入ガイド２０，２２０に印刷されたバーコード情報２８を読み取り、その後、印刷情報データベース１を参照し、印刷情報データベース１に登録された穴加工情報のうち、バーコード情報２８によって表現された管理番号に対応する穴加工情報によって指定される位置及び大きさで記入ガイド２０、２２０に穴部が形成されるように穴加工部４を制御する。これにより、契約申込書１０，２１０に形成された告知内容記入領域１３ａ〜１３ｄのうち、契約申込書１０，２１０の管理番号、すなわち、契約申込書１０，２１０の契約者／被保険者情報記入領域１１に記載された契約者／被保険者情報１５，２１５に応じた領域のみが、記入ガイド２０，２２０に形成された穴部から表出することになる。
【００６４】
その後、丁合部５において、契約申込書１０，２１０及び記入ガイド２０，２２０にそれぞれ印刷されたバーコード情報１６，２８を読み取り、同一のバーコード情報が印刷された契約申込書１０，２１０と記入ガイド２０，２２０とを丁合する（ステップＳ４）。これにより、契約申込書１０，２１０の契約者／被保険者情報記入領域１１内に記載された契約者／被保険者情報１５，２１５に応じて、契約申込書１０，２１０と記入ガイド２０，２２０とが丁合されることになる。なお、この際、丁合部５においては、丁合された契約申込書１０，２１０と記入ガイド２０，２２０の一辺に糊を塗布すること等によって、契約申込書１０，２１０と記入ガイド２０，２２０とを図１及び図２に示したように連接する。
【００６５】
なお、図１に及び図２に示したもののように、契約申込書１０，２１０と記入ガイド２０，２２０とが連接していなくても、互いに重ね合わされた場合に、契約申込書１０，２１０に設けられた告知内容記入領域１３ａ〜１３ｄが記入ガイド２０，２２０に設けられた穴部２１ａ〜２１ｄを介してそれぞれ表出するようなものとすることも考えられる。また、記入ガイド２０，２２０に形成される穴部２１ａ〜２１ｄの位置及び大きさが全て同じ場合は、上述したように記入ガイド２０，２２０に案内情報となる告知質問事項２２、情報２３、質問事項２４ａ，２４ｂ、回答情報２５ａ，２５ｂ，２６ａ，２６ｂ及び矢印情報２７ａ〜２７ｇを印刷した後に穴部２１ａ〜２１ｄを形成してもよいし、所定の位置に予め穴部２１ａ〜２１ｄを形成してもよい。
【００６６】
以下に、上述した組シート作成システムにて作成される組シートの他の実施の形態について説明する。
【００６７】
図５は、本発明の組シートの他の実施の形態を示す図であり、（ａ）は全体の積層構造を示す図、（ｂ）は（ａ）に示した契約申込書１１０の構成を示す図、（ｃ）は（ａ）に示した記入ガイド１５０の構成を示す図、（ｄ）は（ａ）に示した記入ガイド１４０の構成を示す図、（ｅ）は（ａ）に示した記入ガイド１２０の構成を示す図である。
【００６８】
本形態は図５（ａ）に示すように、情報記入シートである契約申込書１１０上に、案内シートである記入ガイド１５０，１４０，１２０が順次重ね合わされ、一辺が綴じ部１３０によって綴じ合わされて構成されている。
【００６９】
また、図５（ｂ）に示すように契約申込書１１０には、個別情報である、契約者や被保険者の氏名や住所等といった契約者や被保険者に関する情報を記入するための契約者／被保険者情報記入領域１１１と、契約する保険のタイプを指定するための契約タイプ表記欄１１４と、被保険者の過去の病歴あるいは現在の体の状態等を記入するための告知欄１１３とが設けられている。契約者／被保険者情報記入領域１１１には、契約者や被保険者の氏名や生年月日、性別、住所等の情報を記入するための欄がそれぞれ設けられており、それぞれの欄に該当する情報を記入することになる。また、契約タイプ表記欄１１４には、設定可能な保険についてその保障の内容や保険料がそれぞれ記載されているとともに、その中から所望の保険のタイプをマークシート方式にて塗りつぶすこと等によって選択する契約タイプ記入領域１１２が設けられている。また、告知欄１１３には、被保険者の過去の病歴あるいは現在の体の状態等についての質問事項が記載されており、また、これら質問事項に対する回答に応じて「○印」を記入すること等によっていずれかを選択する告知内容記入領域１１３ａ，１１３ｂと、告知内容記入領域１１３ａ，１１３ｂのうち告知内容記入領域１１３ａを選択した場合の質問事項が記載されるとともにその質問事項に対する回答を記入するための告知内容記入領域１１３ｃと、告知内容記入領域１１３ａ，１１３ｂのいずれを選択した場合においても回答すべき質問事項が記載されるとともにその質問事項に対する回答を記入するための告知内容記入領域１１３ｄとが設けられている。なお、これらの契約者／被保険者情報記入領域１１１、契約タイプ記入領域１１２及び告知内容記入領域１１３ａ〜１１３ｄが情報記入領域となる。また、この契約申込書１１０を管理するための管理番号がバーコード情報１１６として印刷されている。
【００７０】
また、図５（ｃ）に示すように記入ガイド１５０には、契約申込書１１０上に重ね合わされた場合に契約申込書１１０に設けられた契約者／被保険者情報記入領域１１１が表出するための穴部１５１と、記入ガイド１５０を綴じ部１３０から切り離すためのミシン目１５９とが設けられているとともに、穴部１５１を介して表出した契約者／被保険者情報記入領域１１１への情報の記入を案内する案内情報１５２と、契約者／被保険者情報記入領域１１１への情報の記入例１５３と、契約者／被保険者情報記入領域１１１への情報の記入が完了した際に記入ガイド１５０をミシン目１５９によって切り離す旨を示す案内情報１５４とが記載されている。また、図５（ｂ）に示した契約申込書１１０に印刷されたバーコード情報１１６と同一のバーコード情報１５６が印刷されており、それにより、この記入ガイド１５０が図５（ｂ）に示した契約申込書１１０と組になっていることが示されている。
【００７１】
また、図５（ｄ）に示すように記入ガイド１４０には、契約申込書１１０上に重ね合わされた場合に契約申込書１１０に設けられた契約タイプ記入領域１１２が表出するための穴部１４１と、記入ガイド１４０を綴じ部１３０から切り離すためのミシン目１４９が設けられているとともに、穴部１４１を介して表出した契約タイプ記入領域１１２への情報の記入を案内する案内情報１４２と、契約タイプ記入領域１１２への情報の記入例１４３と、契約タイプ記入領域１１２への情報の記入が完了した際に記入ガイド１４０をミシン目１４９によって切り離す旨を示す案内情報１４４とが記載されている。また、図５（ｂ）に示した契約申込書１１０に印刷されたバーコード情報１１６と同一のバーコード情報１４６が印刷されており、それにより、この記入ガイド１４０が図５（ｂ）に示した契約申込書１１０及び図５（ｃ）に示した記入ガイド１５０と組になっていることが示されている。なお、案内情報１４２は、契約申込書１１０の契約者／被保険者情報記入領域１１１に記載された契約者／被保険者情報１１５に応じて記載されており、また、穴部１４１においても、契約申込書１１０の契約者／被保険者情報記入領域１１１に記載された契約者／被保険者情報１１５に応じた位置及び大きさに形成されている。
【００７２】
また、図５（ｅ）に示すように記入ガイド１２０には、告知欄１１３に記載された質問事項が告知質問事項１２２として記載されているとともに、告知質問事項１２２の回答の状態についての質問事項１２４ａと、質問事項１２４ａに対する回答を選択するための回答情報１２５ａ，１２５ｂと、回答情報１２５ａ，１２５ｂのうち質問事項１２４ａに対する回答として回答情報１２５ａを選択した場合の質問事項１２４ｂと、質問事項１２４ｂに用いる情報１２３と、質問事項１２４ｂに対する回答を選択するための回答情報１２６ａ，１２６ｂとが記載されている。また、図５（ｂ）に示した契約申込書１１０に印刷されたバーコード情報１１６と同一のバーコード情報１２８が印刷されており、それにより、この記入ガイド１２０が、図５（ｂ）に示した契約申込書１１０、図５（ｃ）に示した記入ガイド１５０及び図５（ｄ）に示した記入ガイド１４０と組になっていることが示されている。また、この記入ガイド１２０が図５（ｂ）に示した契約申込書１１０に重ね合わされた場合に契約申込書１１０に設けられた告知内容記入領域１１３ａ〜１１３ｄが表出するための穴部１２１ａ〜１２１ｄが設けられている。また、回答情報１２５ａ，１２５ｂ，１２６ａ，１２６ｂを選択した場合に次に参照すべき領域を指し示す矢印情報１２７ａ〜１２７ｄと、穴部１２１ａ〜１２１ｃを介して表出した告知内容記入領域１１３ａ〜１１３ｃへの情報記入後に次に記入すべき告知内容記入領域が表出した穴部を指し示す矢印情報１２７ｅ〜１２７ｇとが記載されている。これらの記入ガイド１２０に記載された告知質問事項１２２、情報１２３、質問事項１２４ａ，１２４ｂ、回答情報１２５ａ，１２５ｂ，１２６ａ，１２６ｂ及び矢印情報１２７ａ〜１２７ｇが、契約申込書１１０の告知内容記入領域１１３ａ〜１１３ｄへの情報の記入を案内する案内情報となるものであり、契約申込書１１０の契約者／被保険者情報記入領域１１１に記載された契約者／被保険者情報１１５に応じて記載されている。また、穴部１２１ａ〜１２１ｄにおいても、契約申込書１１０の契約者／被保険者情報記入領域１１１に記載された契約者／被保険者情報１１５に応じた位置及び大きさに形成されている。また、記入ガイド１２０を綴じ部１３０から切り離すためのミシン目１２９が設けられている。
【００７３】
以下に、上記のように構成された組シートを用いての契約申込書１１０に対する情報の記入方法について説明する。
【００７４】
図６は、図５に示した組シートを用いての契約申込書１１０に対する情報の記入方法を説明するための図であり、（ａ）は図５に示した契約申込書１１０上に記入ガイド１５０が重ね合わされた状態を示す図、（ｂ）は図５に示した契約申込書１１０上に記入ガイド１４０が重ね合わされた状態を示す図、（ｃ）は図５に示した契約申込書１１０上に記入ガイド１２０が重ね合わされた状態を示す図である。
【００７５】
まず、図５に示した組シートのうち、記入ガイド１２０，１４０を捲り上げ、契約申込書１１０上に記入ガイド１５０のみが重ね合わされた状態とすると、図６（ａ）に示すように、契約申込書１１０に設けられた契約者／被保険者情報記入領域１１１が記入ガイド１５０に設けられた穴部１５１を介して表出することになる。その状態において、記入ガイド１５０に記載された案内情報１５２に従って、また、記入例１５３を参考にし、穴部１５１を介して表出した契約者／被保険者情報記入領域１１１に、契約者や被保険者の氏名や住所等といった契約者や被保険者に関する情報を記入する。なお、契約者／被保険者情報記入領域１１１には、上述したように、契約者や被保険者の氏名や生年月日、性別、住所等の情報を記入するための欄がそれぞれ設けられているため、それぞれの欄に該当する情報を記入する。
【００７６】
このように、記入ガイド１５０に記載された案内情報１５２及び記入例１５３に従って、契約申込書１１０に設けられた契約者／被保険者情報記入領域１１１に所定の情報が記入されることになる。
【００７７】
また、契約者／被保険者情報記入領域１１１に契約者／被保険者情報１１５が記載されていない契約申込書と組になる記入ガイドにおいては、例えば、契約者／被保険者情報記入領域１１１に契約者／被保険者情報１１５を記入する旨を案内情報１５２として記載し、また、訂正例１５３の代わりに、契約者／被保険者情報１１５の記入例を記載しておくことが考えられる。このように、契約者／被保険者情報記入領域１１１に記載された契約者／被保険者情報１１５によるだけではなく、契約者／被保険者情報記入領域１１１に契約者／被保険者情報１１５が記載されているかどうかによっても、記入ガイド１５０に記載する案内情報を変えることが考えられる。
【００７８】
次に、記入ガイド１５０に記載された案内情報１５４に従って記入ガイド１５０をミシン目１５９によって切り離し、記入ガイド１４０を契約申込書１１０上に重ね合わせると、図６（ｂ）に示すように、契約申込書１１０に設けられた契約タイプ記入領域１１２が記入ガイド１４０に設けられた穴部１４１を介して表出することになる。その状態において、記入ガイド１４０に記載された案内情報１４２に従って、また、記入例１４３を参考にし、契約タイプ記入領域１１２にて契約する保険のタイプを指定する。なお、案内情報１４２には、契約申込書１１０の契約タイプ表記欄１１４に記載された、保険についてその保障の内容や保険料がそれぞれ記載されており、契約タイプ記入領域１１２のうち所望の保険のタイプに該当する領域をマークシート方式にて塗りつぶすことによって契約する保険のタイプを指定する。
【００７９】
このようにして、記入ガイド１４０に記載された案内情報１４２及び記入例１４３に従って、契約申込書１１０に設けられた契約タイプ記入領域１１２にて契約する保険のタイプを指定するための情報が記入されることになる。
【００８０】
次に、記入ガイド１４０に記載された案内情報１４４に従って記入ガイド１４０をミシン目１４９によって切り離し、記入ガイド１２０を契約申込書１１０上に重ね合わせると、図６（ｃ）に示すように、契約申込書１１０に設けられた告知内容記入領域１１３ａ〜１１３ｄが記入ガイド１２０に設けられた穴部１２１ａ〜１２１ｄを介してそれぞれ表出することになる。
【００８１】
この状態において、まず、告知質問事項１２２に回答し、その回答の状態について質問事項１２４ａに回答し、その回答として回答情報１２５ａ，１２５ｂのいずれか一方を選択する。ここで、告知質問事項１２２は、契約申込書１１０の告知欄１１３に記載された、被保険者の過去の病歴あるいは現在の体の状態等についての質問事項であり、また、質問事項１２４ａは、告知質問事項１２２に対して１つでも当てはまる項目があるかどうかを質問するものであり、この質問事項１２４ａに対して、回答情報１２５ａ，１２５ｂのいずれか一方を選択する。すなわち、告知質問事項１２２に対して１つでも当てはまる項目がある場合は回答情報１２５ａを選択し、告知質問事項１２２に対して当てはまる項目が１つもない場合は回答情報１２５ｂを選択することになる。
【００８２】
回答情報１２５ａ，１２５ｂのうち回答情報１２５ａを選択した場合は、次に、矢印情報１２７ａに従って質問事項１２４ｂを参照し、回答する。質問事項１２４ｂは、回答情報１２５ａについて情報１２３を用いた質問事項であって、その回答として回答情報１２６ａ，１２６ｂのいずれか一方を選択する。
【００８３】
回答情報１２６ａ，１２６ｂのうち回答情報１２６ａを選択した場合は、矢印情報１２７ｃに従って穴部１２１ａから表出した告知内容記入領域１１３ａに情報を記入する。ここで、穴部１２１ａから表出した告知内容記入領域１１３ａは、上述したように告知内容記入領域１１３ａ，１１３ｂのうち告知内容記入領域１１３ａを、「○印」を記入することによって選択するための領域であるため、回答情報１２６ａを選択した場合は、穴部１２１ａから表出した告知内容記入領域１１３ａに「○印」を記入する。
【００８４】
次に、矢印情報１２７ｅに従って穴部１２１ｃから表出した告知内容記入領域１１３ｃに情報を記入する。ここで、穴部１２１ｃから表出した告知内容記入領域１１３ｃには、上述したように、告知内容記入領域１１３ａ，１１３ｂのうち告知内容記入領域１１３ａを選択した場合の質問事項が記載されているため、この質問事項に対する回答を記入する。
【００８５】
一方、回答情報１２５ａ，１２５ｂのうち回答情報１２５ｂを選択した場合は、矢印情報１２７ｂに従って穴部１２１ｂから表出した告知内容記入領域１１３ｂに情報を記入する。ここで、穴部１２１ａから表出した告知内容記入領域１１３ｂは、上述したように告知内容記入領域１１３ａ，１１３ｂのうち告知内容記入領域１１３ｂを、「○印」を記入することによって選択するための領域であるため、回答情報１２５ｂを選択した場合は、穴部１２１ｂから表出した告知内容記入領域１１３ｂに「○印」を記入する。また、回答情報１２６ａ，１２６ｂのうち回答情報１２６ｂを選択した場合においても、矢印情報１２７ｄ，１２７ｂに従って穴部１２１ｂから表出した告知内容記入領域１１３ｂに情報を記入することになる。
【００８６】
その後、穴部１２１ｃから表出した告知内容記入領域１１３ｃに情報を記入した場合は矢印情報１２７ｆに従って、また、穴部１２１ｂから表出した告知内容記入領域１１３ｂに情報を記入した場合は矢印情報１２７ｇに従って、穴部１２１ｄから表出した告知内容記入領域１１３ｄに情報を記入する。ここで、穴部１２１ｄから表出した告知内容記入領域１１３ｄは、上述したように、告知内容記入領域１１３ａ，１１３ｂのいずれを選択した場合においても回答すべき質問事項が記載されているため、その質問事項に対する回答を告知内容記入領域１１３ｄに記入する。
【００８７】
このようにして、記入ガイド１２０に記載された、告知質問事項１２２、情報１２３、質問事項１２４ａ，１２４ｂ、回答情報１２５ａ，１２５ｂ，１２６ａ，１２６ｂ及び矢印情報１２７ａ〜１２７ｇからなる案内情報に従って、契約申込書１１０の告知欄１１３に設けられた告知内容記入領域１１３ａ〜１１３ｄに所定の情報が記入されることになる。
【００８８】
図７は、本発明の組シートの他の実施の形態を示す図であり、（ａ）は全体の積層構造を示す図、（ｂ）は（ａ）に示した契約申込書３１０の構成を示す図、（ｃ）は（ａ）に示した記入ガイド１５０の構成を示す図、（ｄ）は（ａ）に示した記入ガイド１４０の構成を示す図、（ｅ）は（ａ）に示した記入ガイド３２０の構成を示す図である。
【００８９】
本形態は図７（ａ）に示すように、情報記入シートである契約申込書３１０上に、案内シートである記入ガイド３５０，１４０，３２０が順次重ね合わされ、一辺が綴じ部１３０によって綴じ合わされて構成されている。
【００９０】
また、図７（ｂ）に示すように契約申込書３１０は、図５（ｂ）に示した契約申込書１１０に対して、契約者／被保険者情報記入領域１１１に契約者／被保険者情報３１５が記載された点のみが異なるものである。
【００９１】
また、図７（ｃ）に示すように記入ガイド３５０には、契約申込書１１０上に重ね合わされた場合に契約申込書１１０に設けられた契約者／被保険者情報記入領域１１１が表出するための穴部１５１と、記入ガイド３５０を綴じ部１３０から切り離すためのミシン目１５９とが設けられているとともに、穴部１５１を介して表出した契約者／被保険者情報記入領域１１１に記載された契約者／被保険者情報３１５の訂正確認を案内する案内情報３５２と、契約者／被保険者情報記入領域１１１に記載された契約者／被保険者情報３１５の訂正例３５３と、記入ガイド３５０をミシン目１５９によって切り離す旨を示す案内情報３５４とが記載されている。また、図７（ｂ）に示した契約申込書１１０に印刷されたバーコード情報１１６と同一のバーコード情報１５６が印刷されており、それにより、この記入ガイド３５０が図７（ｂ）に示した契約申込書３１０と組になっていることが示されている。
【００９２】
このように、契約者／被保険者情報記入領域１１１に契約者／被保険者情報３１５が記載されているかどうかによっても、記入ガイド１５０，３５０に記載する案内情報を変えることが考えられる。一方、契約申込書１１０，３１０に重ね合わされる記入ガイド１５０，３５０に形成される穴部１５１はその位置及び大きさが同一のものである。このように、記入ガイド１５０，３５０に形成される穴部１５１の位置と大きさが同一であっても、記入ガイド１５０，３５０に記載する案内情報を、契約申込書１１０，３１０に記載された情報に対応したものとすることにより、穴部１５１を介して表出した情報記入領域１１１への情報の記入を容易にすることができるようになる。
【００９３】
また、図７（ｅ）に示すように記入ガイド３２０は、図５（ｅ）に示した記入ガイド１２０に対して、図５（ｅ）に示した穴部１２１ｃが形成されておらず、穴部１２１ａを介して表出した告知内容記入領域１１３ａへの情報記入後に矢印情報１２７ｅによって、次に記入すべき告知内容記入領域１１３ｄが表出した穴部１２１ｄが指し示されている点のみが異なるものである。これらの記入ガイド３２０に記載された告知質問事項１２２、情報１２３、質問事項１２４ａ，１２４ｂ、回答情報１２５ａ，１２５ｂ，１２６ａ，１２６ｂ及び矢印情報１２７ａ〜１２７ｅ，１２７ｇが、契約申込書３１０の告知内容記入領域１１３ａ，１１３ｂ，１１３ｄへの情報の記入を案内する案内情報となるものであり、契約申込書３１０の契約者／被保険者情報記入領域１１１に記載された契約者／被保険者情報３１５に応じて記載されている。また、穴部１２１ａ，１２１ｂ，１２１ｄにおいても、契約申込書３１０の契約者／被保険者情報記入領域１１１に記載された契約者／被保険者情報３１５に応じた位置及び大きさに形成されている。
【００９４】
また、図７（ｄ）に示すように記入ガイド１４０は、図５（ｄ）に示したものと同様のものである。
【００９５】
以下に、上記のように構成された組シートを用いての契約申込書３１０に対する情報の記入方法について説明する。
【００９６】
図８は、図７に示した組シートを用いての契約申込書３１０に対する情報の記入方法を説明するための図であり、（ａ）は図７に示した契約申込書３１０上に記入ガイド１５０が重ね合わされた状態を示す図、（ｂ）は図７に示した契約申込書３１０上に記入ガイド１４０が重ね合わされた状態を示す図、（ｃ）は図７に示した契約申込書３１０上に記入ガイド３２０が重ね合わされた状態を示す図である。
【００９７】
まず、図７に示した組シートのうち、記入ガイド３２０，１４０を捲り上げ、契約申込書３１０上に記入ガイド３５０のみが重ね合わされた状態とすると、図８（ａ）に示すように、契約申込書３１０に設けられた契約者／被保険者情報記入領域１１１が記入ガイド３５０に設けられた穴部１５１を介して表出することになる。その状態において、記入ガイド３５０に記載された案内情報３５２に従って、契約者／被保険者情報記入領域１１１に記載された契約者／被保険者情報３１５を確認し、変更がある場合は、訂正例３５３を参考にして契約者／被保険者情報３１５を訂正する。
【００９８】
次に、記入ガイド３５０に記載された案内情報３５４に従って記入ガイド３５０をミシン目１５９によって切り離し、記入ガイド１４０を契約申込書３１０上に重ね合わせると、図８（ｂ）に示すように、契約申込書３１０に設けられた契約タイプ記入領域１１２が記入ガイド１４０に設けられた穴部１４１を介して表出することになる。その状態において、記入ガイド１４０に記載された案内情報１４２に従って、また、記入例１４３を参考にし、契約タイプ記入領域１１２にて契約する保険のタイプを指定する。なお、案内情報１４２には、契約申込書３１０の契約タイプ表記欄１１４に記載された、保険についてその保障の内容や保険料がそれぞれ記載されており、契約タイプ記入領域１１２のうち所望の保険のタイプに該当する領域をマークシート方式にて塗りつぶすことによって契約する保険のタイプを指定する。
【００９９】
このようにして、記入ガイド１４０に記載された案内情報１４２及び記入例１４３に従って、契約申込書３１０に設けられた契約タイプ記入領域１１２にて契約する保険のタイプを指定するための情報が記入されることになる。
【０１００】
次に、記入ガイド１４０に記載された案内情報１４４に従って記入ガイド１４０をミシン目１４９によって切り離し、記入ガイド３２０を契約申込書３１０上に重ね合わせると、図８（ｃ）に示すように、契約申込書３１０に設けられた告知内容記入領域１１３ａ，１１３ｂ，１１３ｄが記入ガイド３２０に設けられた穴部１２１ａ，１２１ｂ，１２１ｄを介してそれぞれ表出することになる。
【０１０１】
この状態において、まず、告知質問事項１２２に回答し、その回答の状態について質問事項１２４ａに回答し、その回答として回答情報１２５ａ，１２５ｂのいずれか一方を選択する。ここで、告知質問事項１２２は、契約申込書３１０の告知欄１１３に記載された、被保険者の過去の病歴あるいは現在の体の状態等についての質問事項であり、また、質問事項１２４ａは、告知質問事項１２２に対して１つでも当てはまる項目があるかどうかを質問するものであり、この質問事項１２４ａに対して、回答情報１２５ａ，１２５ｂのいずれか一方を選択する。すなわち、告知質問事項１２２に対して１つでも当てはまる項目がある場合は回答情報１２５ａを選択し、告知質問事項１２２に対して当てはまる項目が１つもない場合は回答情報１２５ｂを選択することになる。
【０１０２】
回答情報１２５ａ，１２５ｂのうち回答情報１２５ａを選択した場合は、次に、矢印情報１２７ａに従って質問事項１２４ｂを参照し、回答する。質問事項１２４ｂは、回答情報１２５ａについて情報１２３を用いた質問事項であって、その回答として回答情報１２６ａ，１２６ｂのいずれか一方を選択する。
【０１０３】
回答情報１２６ａ，１２６ｂのうち回答情報１２６ａを選択した場合は、矢印情報１２７ｃに従って穴部１２１ａから表出した告知内容記入領域１１３ａに情報を記入する。ここで、穴部１２１ａから表出した告知内容記入領域１１３ａは、上述したように告知内容記入領域１１３ａ，１１３ｂのうち告知内容記入領域１１３ａを、「○印」を記入することによって選択するための領域であるため、回答情報１２６ａを選択した場合は、穴部１２１ａから表出した告知内容記入領域１１３ａに「○印」を記入する。
【０１０４】
一方、回答情報１２５ａ，１２５ｂのうち回答情報１２５ｂを選択した場合は、矢印情報１２７ｂに従って穴部１２１ｂから表出した告知内容記入領域１１３ｂに情報を記入する。ここで、穴部１２１ａから表出した告知内容記入領域１１３ｂは、上述したように告知内容記入領域１１３ａ，１１３ｂのうち告知内容記入領域１１３ｂを、「○印」を記入することによって選択するための領域であるため、回答情報１２５ｂを選択した場合は、穴部１２１ｂから表出した告知内容記入領域１１３ｂに「○印」を記入する。また、回答情報１２６ａ，１２６ｂのうち回答情報１２６ｂを選択した場合においても、矢印情報１２７ｄ，１２７ｂに従って穴部１２１ｂから表出した告知内容記入領域１１３ｂに情報を記入することになる。
【０１０５】
その後、穴部１２１ａから表出した告知内容記入領域１１３ａに情報を記入した場合は矢印情報１２７ｅに従って、また、穴部１２１ｂから表出した告知内容記入領域１１３ｂに情報を記入した場合は矢印情報１２７ｇに従って、穴部１２１ｄから表出した告知内容記入領域１１３ｄに情報を記入する。ここで、穴部１２１ｄから表出した告知内容記入領域１１３ｄは、上述したように、告知内容記入領域１１３ａ，１１３ｂのいずれを選択した場合においても回答すべき質問事項が記載されているため、その質問事項に対する回答を告知内容記入領域１１３ｄに記入する。
【０１０６】
このようにして、記入ガイド１２０に記載された、告知質問事項１２２、情報１２３、質問事項１２４ａ，１２４ｂ、回答情報１２５ａ，１２５ｂ，１２６ａ，１２６ｂ及び矢印情報１２７ａ〜１２７ｅ，１２７ｇからなる案内情報に従って、契約申込書３１０の告知欄１１３に設けられた告知内容記入領域１１３ａ，１１３ｂ，１１３ｄに所定の情報が記入されることになる。
【０１０７】
ここで、図５に示した組シートと図７に示した組シートとを比較した場合、図５に示した組シートの記入ガイド１２０には、契約申込書１１０の告知内容記入領域１１３ａ〜１１３ｄがそれぞれ表出する穴部１２１ａ〜１２１ｄが形成されており、それにより、契約申込書１１０の告知内容記入領域１１３ａ〜１１３ｄに情報が記入されるように構成されているのに対して、図７に示した組シートの記入ガイド３２０には、契約申込書３１０の告知内容記入領域１１３ａ〜１１３ｄのうち、告知内容記入領域１１３ａ，１１３ｂ，１１３ｄのみがそれぞれ表出する穴部１２１ａ，１２１ｂ，１２１ｄが形成されており、それにより、契約申込書３０の告知内容記入領域１１３ａ，１１３ｂ，１１３ｄのみに情報が記入されるように構成されている。これは、図５に示した契約申込書１１０には契約者／被保険者情報が記載されていないのに対して、図７に示した契約申込書３１０の契約者／被保険者情報記入領域１１１には契約者／被保険者情報３１５が記載されているためであり、例えば、図５に示した契約申込書１１０の契約者／被保険者情報記入領域１１１に契約者／被保険者情報が記載されていない場合は契約申込書１１０の告知内容記入領域１１３ａ〜１１３ｄの全てに情報を記入する必要があり、また、図７に示した契約申込書３１０の契約者／被保険者情報記入領域１１１に記載された契約者／被保険者情報３１５に含まれる被保険者の年齢では契約申込書３１０の告知内容記入領域１１３ａ〜１１３ｄのうち告知内容記入領域１１３ａ，１１３ｂ，１１３ｄのみに情報を記入すればよいというように告知内容記入領域１１３ａ〜１１３ｄへの情報の記入が決められているためである。
【０１０８】
このように、契約申込書１１０，３１０の契約者／被保険者情報記入領域１１１に記載された契約者／被保険者情報１１５，３１５に応じて、記入ガイド１２０，３２０に形成される穴部の配置を変え、また、それに伴い、記入ガイド１２０，３２０に記載される案内情報を変えることにより、契約申込書１１０，３１０に設けられた告知内容記入領域１１３ａ〜１１３ｄへの情報の記入が、契約申込書１１０，３１０の契約者／被保険者情報記入領域１１１に記載された契約者／被保険者情報１１５，３１５に応じて案内されることになる。
【０１０９】
なお、図５及び図７に示したものにおいては、契約申込書１１０，３１０の契約者／被保険者情報記入領域１１１に契約者／被保険者情報３１５が記載されているかどうかに応じた位置及び大きさで記入ガイド１２０，１４０，１５０，３２０，３５０に穴部１２１ａ〜１２１ｄ，１４１，１５１がそれぞれ形成されているが、穴部１２１ａ〜１２１ｄ，１４１，１５１においては、契約申込書１１０，３１０の契約者／被保険者情報記入領域１１１に契約者／被保険者情報３１５が記載されているかどうかによらずに予め決められた位置及び大きさで記入ガイド１２０，１４０，１５０，３２０，３５０にそれぞれ形成されていてもよい。
【０１１０】
また、図５及び図７に示したもののように、契約申込書１１０，３１０と記入ガイド１２０，１４０，１５０，３２０，３５０とが綴じ合わされていなくても、互いに重ね合わされた場合に、契約申込書１１０，２１０に設けられた契約者／被保険者情報記入領域１１１が記入ガイド１５０，３５０に設けられた穴部１５１を介して表出し、また、契約申込書１１０，３１０に設けられた契約タイプ記入領域１１２が記入ガイド１４０に設けられた穴部１４１を介して表出し、また、契約申込書１１０，３１０に設けられた告知内容記入領域１１３ａ〜１１３ｄが記入ガイド１２０，３２０に設けられた穴部１２１ａ〜１２１ｄを介してそれぞれ表出するようなものであればよい。
【０１１１】
また、上述した実施の形態においては、情報記入シートとして保険の契約申込書１０，１１０，２１０，３１０、また、案内シートとしてその契約申込書１０，１１０，２１０，３１０への情報の記入を案内する記入ガイド２０，１２０，１４０，１５０，２２０，３２０，３５０をそれぞれ例に挙げて説明したが、本発明はこれに限らず、情報記入シートが、情報を記入する情報記入領域が設けられたものであり、かつ、案内シートが、この情報記入領域への情報の記入を案内するための案内情報が記載されたものであればよい。
【図面の簡単な説明】
【０１１２】
【図１】本発明の組シートの実施の一形態を示す図であり、（ａ）は全体の構成を説明するための斜視図、（ｂ）は（ａ）に示した契約申込書の構成を示す図、（ｃ）は（ａ）に示した記入ガイドの構成を示す図、（ｄ）は（ｂ）に示した契約申込書上に（ｃ）に示した記入ガイドを重ね合わせた状態を示す図である。
【図２】本発明の組シートの他の実施の形態を示す図であり、（ａ）は全体の構成を説明するための斜視図、（ｂ）は（ａ）に示した契約申込書の構成を示す図、（ｃ）は（ａ）に示した記入ガイドの構成を示す図、（ｄ）は（ｂ）に示した契約申込書上に（ｃ）に示した記入ガイドを重ね合わせた状態を示す図である。
【図３】図１及び図２に示した組シートを作成する組シート作成システムの実施の一形態を示す図である。
【図４】図３に示した組シート作成システムにおいて図１及び図２に示した組シートを作成する組シート作成方法を説明するためのフローチャートである。
【図５】本発明の組シートの他の実施の形態を示す図であり、（ａ）は全体の積層構造を示す図、（ｂ）は（ａ）に示した契約申込書の構成を示す図、（ｃ）〜（ｅ）は（ａ）に示した記入ガイドの構成を示す図である。
【図６】図５に示した組シートを用いての契約申込書に対する情報の記入方法を説明するための図である。
【図７】本発明の組シートの他の実施の形態を示す図であり、（ａ）は全体の積層構造を示す図、（ｂ）は（ａ）に示した契約申込書の構成を示す図、（ｃ）〜（ｅ）は（ａ）に示した記入ガイドの構成を示す図である。
【図８】図７に示した組シートを用いての契約申込書に対する情報の記入方法を説明するための図である。
【符号の説明】
【０１１３】
１    印刷情報データベース
２    制御部
３    印刷部
４    穴加工部
５    丁合部
１０，１１０，２１０，３１０    契約申込書
１１，１１１    契約者／被保険者情報記入領域
１２，１１２    契約タイプ記入領域
１３，１１３    告知欄
１３ａ〜１３ｄ，１１３ａ〜１１３ｄ    告知内容記入領域
１６，２８，１１６，１２８，１４６，１５６    バーコード情報
２０，１２０，１４０，１５０，２２０，３２０，３５０    記入ガイド
２１ａ〜２１ｄ，１２１ａ〜１２１ｄ，１４１，１５１    穴部
２２，１２２    告知質問事項
２３，１２３    情報
２４ａ，２４ｂ，１２４ａ，１２４ｂ    質問事項
２５ａ，２５ｂ，２６ａ，２６ｂ，１２５ａ，１２５ｂ，１２６ａ，１２６ｂ    回答情報
２７ａ〜２７ｇ，１２７ａ〜１２７ｇ    矢印情報
３０    連接部
１１４    契約タイプ表記欄
１２９，１４９，１５９    ミシン目
１３０    綴じ部
１４２，１４４，１５２，１５４，３５２，３５４    案内情報
１４３，１５３    記入例
３５３    訂正例
【図１】
2005305805.tif 000003
【図２】
2005305805.tif 000004
【図３】
2005305805.tif 000005
【図４】
2005305805.tif 000006
【図５】
2005305805.tif 000007
【図６】
2005305805.tif 000008
【図７】
2005305805.tif 000009
【図８】
2005305805.tif 000010